(57)【要約】【課題】  インダクタとキャパシタとの実装効率を向上させることができ、かつ分布定数型のフィルタに比べてフィルタとしての特性解析を容易に行うことができるようにする。【解決手段】  第１および第２の帯状誘電体３，４を介して第１の帯状導電体１と第２の帯状導電体２とを一体的に巻回してインダクタＬ１とキャパシタＣ１とを形成する。磁性コア７に第１の帯状導電体１の第１の導体部分１１が巻回されることによりインダクタＬ１が形成され、そのインダクタＬ１の外側の領域において第１の帯状導電体１の第２の導体部分１２と第２の帯状導電体２とが一体的に巻回されることによりキャパシタＣ１が形成される。第１および第２の帯状導電体１，２を巻回した状態で、インダクタＬ１とキャパシタＣ１とが、放射方向（径方向）の別々の領域に形成され、等価的に集中定数型のＬＣフィルタが形成される。【選択図】      図１
2007067800.tif 000002
【特許請求の範囲】
【請求項１】
インダクタとキャパシタとが複合されたＬＣ複合素子であって、
前記インダクタを形成する第１の導体部分と前記キャパシタの一方の電極を形成する第２の導体部分とを長手方向の別々の領域に有する第１の帯状導電体と、
前記第１の帯状導電体の前記第２の導体部分に対応する領域に設けられると共に、前記キャパシタの他方の電極を形成する第２の帯状導電体と、
少なくとも前記第１の帯状導電体の前記第２の導体部分に対応する領域に設けられた帯状誘電体と、
前記第１の帯状導電体の前記第１の導体部分の一端側に接続された入力端子と、
前記第１の帯状導電体の前記第１の導体部分の他端側に接続された出力端子と、
前記第２の帯状導電体に接続された接地端子と
を備え、
前記帯状誘電体を介して前記第１の帯状導電体と前記第２の帯状導電体とが一体的に巻回されている
ことを特徴とするＬＣ複合素子。
【請求項２】
中心部に配置された磁性コアをさらに備え、
前記磁性コアに前記第１の帯状導電体の前記第１の導体部分が巻回されることにより前記インダクタが形成され、前記インダクタの外側の領域において前記帯状誘電体を介して前記第１の帯状導電体の前記第２の導体部分と前記第２の帯状導電体とが一体的に巻回されることにより前記キャパシタが形成されている
ことを特徴とする請求項１に記載のＬＣ複合素子。
【請求項３】
前記第１の帯状導電体の前記第１の導体部分における前記インダクタと前記キャパシタとの境界となる外周部分に設けられ、前記インダクタからの磁束の漏洩を防止する帯状磁性体、をさらに備えた
ことを特徴とする請求項１または２に記載のＬＣ複合素子。
【請求項４】
前記第１の帯状導電体の前記第１の導体部分に対応する領域において、前記第１の帯状導電体と共に一体的に巻回される低誘電率絶縁体、をさらに備えた
ことを特徴とする請求項１ないし３のいずれか１項に記載のＬＣ複合素子。
【請求項５】
前記第１の帯状導電体の前記第１の導体部分が、前記第１の帯状導電体全体の高さ方向の幅よりも小さい導体形状を有し、かつ、その導体形状部分が側面から見て斜め方向に形成されている
ことを特徴とする請求項１ないし４のいずれか１項に記載のＬＣ複合素子。
【請求項６】
前記第１の帯状導電体の前記第２の導体部分において、前記第１の導体部分の前記出力端子と共に同一の放射方向に列状に形成された複数の他の出力端子と、
前記出力端子と前記複数の他の出力端子とを互いに同一の放射方向に接続する出力端子接続用導体と、
前記第２の帯状導電体において、前記接地端子と共に同一の放射方向に列状に形成された複数の他の接地端子と、
前記接地端子と前記複数の他の接地端子とを互いに同一の放射方向に接続する接地端子接続用導体とをさらに備えた
ことを特徴とする請求項１ないし５のいずれか１項に記載のＬＣ複合素子。
【請求項７】
前記第１の帯状導電体の前記第２の導体部分において、前記複数の他の出力端子間の導電体が高さ方向に複数に分割されていると共に、その複数に分割された導電体が、隣接する前記複数の他の出力端子に交互に接続され、
前記第２の帯状導電体において、前記複数の他の接地端子間の導電体が高さ方向に複数に分割されていると共に、その複数に分割された導電体が、隣接する前記複数の他の接地端子に交互に接続されている
ことを特徴とする請求項６に記載のＬＣ複合素子。
【請求項８】
前記第１の帯状導電体の前記第２の導体部分における導電体が前記第１の帯状導電体の長手方向に複数に分割されていると共に、前記第２の帯状導電体が前記第２の帯状導電体の長手方向に複数に分割されており、
前記第１の帯状導電体において、前記出力端子と前記複数に分割された導電体のそれぞれとを互いに接続する出力端子接続用導体と、
前記第２の帯状導電体において、前記接地端子と前記複数に分割された導電体のそれぞれとを互いに接続する接地端子接続用導体とをさらに備えた
ことを特徴とする請求項１ないし５のいずれか１項に記載のＬＣ複合素子。
【請求項９】
前記第１の帯状導電体における前記複数に分割された導電体と前記第２の帯状導電体における前記複数に分割された導電体とのそれぞれの高さ方向にスリットが形成されている
ことを特徴とする請求項８に記載のＬＣ複合素子。
【請求項１０】
前記第１の帯状導電体の前記第２の導体部分における高さ方向の一方の端部を全体的に接続する環状の第１の接続用導体と、
前記第２の帯状導電体における高さ方向の他方の端部を全体的に接続する環状の第２の接続用導体とをさらに備えた
ことを特徴とする請求項１ないし５のいずれか１項に記載のＬＣ複合素子。
【請求項１１】
前記第１の帯状導電体の前記第２の導体部分と前記第２の帯状導電体とのそれぞれの高さ方向にスリットが形成されている
ことを特徴とする請求項１０に記載のＬＣ複合素子。
【発明の詳細な説明】
【技術分野】
【０００１】
本発明は、例えば音響アンプ用のＬＣフィルタとして用いられるＬＣ複合素子に関する。
【背景技術】
【０００２】
特許文献１の従来技術として記載されているように、帯状誘電体に帯状導電体を重ねた状態で巻回して構成されたノイズフィルタが知られている。図２１は、そのノイズフィルタの全体構成を示している。また図２２は、その等価回路を示している。このノイズフィルタは、帯状の誘電体シート１１０Ａ，１１０Ｂと帯状導電体１１２Ａ，１１２Ｂとをそれぞれ交互に重ね合わせ、磁性コアまたは非磁性巻枠あるいは空心に巻回された円筒状の構成とされている。誘電体シート１１０Ａ，１１０Ｂと帯状導電体１１２Ａ，１１２Ｂは、それぞれ長手方向にほぼ同一の長さで構成され、それらすべてがほぼ同一の中心位置から全長に亘り巻回されている。一方の帯状導電体１１２Ａは通電用の導体とされ、その一端側（巻き始め部）には入力端子１１４Ａが接続され、他端側（巻き終わり部）には出力端子１１４Ｃが接続されている。他方の帯状導電体１１２Ｂは接地用の導体とされ、一端側に接地端子１１４Ｂが接続されている。これにより、３端子型のノイズフィルタが形成されている。
【０００３】
このノイズフィルタでは、通電用の帯状導電体１１２Ａの巻始め部と巻き終わり部に接続された一対の入出力端子１１４Ａ，１１４Ｃの間に図２２に示したようにインダクタが形成され、しかも通電用の帯状導電体１１２Ａの全長に亘り、接地用の帯状導電体１１２Ｂとの間にキャパシタが分布定数的に形成される。各導電体の全長に亘りインダクタとキャパシタとが形成されるため、巻回された状態において放射方向には構造的にインダクタ部とキャパシタ部との明確な区別はない。このノイズフィルタでは、インダクタとキャパシタとが構造的に一体化されているため、小型化および実装効率の向上を図ることができる。
【特許文献１】特開平２−２６１１４号公報
【発明の開示】
【発明が解決しようとする課題】
【０００４】
しかしながら、上記従来のノイズフィルタは、構造的にインダクタ部とコンデンサ部との明確な区別がなく、分布定数型のフィルタであるため、集中定数型のフィルタに比べてフィルタとしての特性解析が困難である。そのため所望の特性を満足するための回路パラメータの設定が困難で、設計が困難である。
【０００５】
本発明はかかる問題点に鑑みてなされたもので、その目的は、インダクタとキャパシタとの実装効率を向上させることができ、かつ分布定数型のフィルタに比べてフィルタとしての特性解析を容易に行うことができるようにしたＬＣ複合素子を提供することにある。
【課題を解決するための手段】
【０００６】
本発明によるＬＣ複合素子は、インダクタとキャパシタとが複合されたＬＣ複合素子であって、インダクタを形成する第１の導体部分とキャパシタの一方の電極を形成する第２の導体部分とを長手方向の別々の領域に有する第１の帯状導電体と、第１の帯状導電体の第２の導体部分に対応する領域に設けられると共に、キャパシタの他方の電極を形成する第２の帯状導電体と、少なくとも第１の帯状導電体の第２の導体部分に対応する領域に設けられた帯状誘電体と、第１の帯状導電体の第１の導体部分の一端側に接続された入力端子と、第１の帯状導電体の第１の導体部分の他端側に接続された出力端子と、第２の帯状導電体に接続された接地端子とを備えている。そして、帯状誘電体を介して第１の帯状導電体と第２の帯状導電体とが一体的に巻回されているものである。
【０００７】
本発明によるＬＣ複合素子では、帯状誘電体を介して第１の帯状導電体と第２の帯状導電体とを一体的に巻回してインダクタとキャパシタとを形成しているため、小型化および実装効率の向上が図られる。また、第１の帯状導電体が、インダクタを形成する第１の導体部分とキャパシタの一方の電極を形成する第２の導体部分とを長手方向の別々の領域に有していることで、インダクタとキャパシタとが放射方向の別々の領域に形成され、集中定数型のＬＣフィルタが形成される。これにより、分布定数型のフィルタに比べてフィルタとしての特性解析が容易となる。
【０００８】
本発明によるＬＣ複合素子において、中心部に配置された磁性コアをさらに備え、磁性コアに第１の帯状導電体の第１の導体部分が巻回されることによりインダクタが形成され、インダクタの外側の領域において帯状誘電体を介して第１の帯状導電体の第２の導体部分と第２の帯状導電体とが一体的に巻回されることによりキャパシタが形成されていても良い。
【０００９】
また、本発明によるＬＣ複合素子において、第１の帯状導電体の第１の導体部分におけるインダクタとキャパシタとの境界となる外周部分に設けられ、インダクタからの磁束の漏洩を防止する帯状磁性体をさらに備えていても良い。
この構成の場合には、帯状磁性体によりインダクタからの磁束の漏洩が防止され、インダクタのキャパシタへの磁束の影響が低減されることで、より理想的な集中定数型のＬＣフィルタが形成される。
【００１０】
また、本発明によるＬＣ複合素子において、第１の帯状導電体の第１の導体部分に対応する領域において、第１の帯状導電体と共に一体的に巻回される低誘電率絶縁体をさらに備えていても良い。
この構成の場合には、第１の導体部分において低誘電率絶縁体が一体的に巻回されることで第１の導体部分に形成される線間容量が低減され、より理想的な集中定数型のＬＣフィルタが形成される。
【００１１】
また、本発明によるＬＣ複合素子において、第１の帯状導電体の第１の導体部分が、第１の帯状導電体全体の高さ方向の幅よりも小さい導体形状を有し、かつ、その導体形状部分が側面から見て斜め方向に形成されていても良い。
この構成の場合には、第１の導体部分において、幅の小さい導体形状部分が側面から見て斜め方向に形成されていることで第１の導体部分に形成される線間容量が低減され、より理想的な集中定数型のＬＣフィルタが形成される。
【００１２】
また、本発明によるＬＣ複合素子において、第１の帯状導電体の第２の導体部分において、第１の導体部分の出力端子と共に同一の放射方向に列状に形成された複数の他の出力端子と、出力端子と複数の他の出力端子とを互いに同一の放射方向に接続する出力端子接続用導体と、第２の帯状導電体において、接地端子と共に同一の放射方向に列状に形成された複数の他の接地端子と、接地端子と複数の他の接地端子とを互いに同一の放射方向に接続する接地端子接続用導体とをさらに備えていても良い。
この構成の場合には、第１の帯状導電体の第２の導体部分において、第１の導体部分の出力端子と共に同一の放射方向に列状に複数の他の出力端子が形成され、それら出力端子と複数の他の出力端子とが互いに同一の放射方向に接続されることで、第１の帯状導電体の第２の導体部分に形成される付加インダクタンス成分が並列化され、その付加インダクタンス成分が低減される。同様にして、第２の帯状導電体において、接地端子と共に同一の放射方向に列状に複数の他の接地端子が形成され、それら接地端子と複数の他の接地端子とが互いに同一の放射方向に接続されることで、第２の帯状導電体部分に形成される付加インダクタンス成分が並列化され、その付加インダクタンス成分が低減される。これにより、より理想的な集中定数型のＬＣフィルタが形成される。
また、この構成においてさらに、第１の帯状導電体の第２の導体部分において、複数の他の出力端子間の導電体が高さ方向に複数に分割されていると共に、その複数に分割された導電体が、隣接する複数の他の出力端子に交互に接続され、第２の帯状導電体において、複数の他の接地端子間の導電体が高さ方向に複数に分割されていると共に、その複数に分割された導電体が、隣接する複数の他の接地端子に交互に接続されていても良い。
これにより、高さ方向に分割された複数の導電体において、高さ方向に隣接する導電体に互いに逆向きの電流が流れて打ち消し合うこととなり、第１の帯状導電体の第２の導体部分と第２の帯状導電体部分とに形成される付加インダクタンス成分がより効果的に低減される。これにより、より理想的な集中定数型のＬＣフィルタが形成される。
【００１３】
また、本発明によるＬＣ複合素子において、第１の帯状導電体の第２の導体部分における導電体が第１の帯状導電体の長手方向に複数に分割されていると共に、第２の帯状導電体が第２の帯状導電体の長手方向に複数に分割されていても良い。そして、第１の帯状導電体において、出力端子と複数に分割された導電体のそれぞれとを互いに接続する出力端子接続用導体と、第２の帯状導電体において、接地端子と複数に分割された導電体のそれぞれとを互いに接続する接地端子接続用導体とをさらに備えていても良い。
この構成の場合には、第１の帯状導電体の第２の導体部分における導電体が第１の帯状導電体の長手方向に複数に分割され、かつ複数に分割された導電体と出力端子とがそれぞれ互いに接続されることで、第１の帯状導電体の第２の導体部分に形成される付加インダクタンス成分が並列化され、その付加インダクタンス成分が低減される。同様にして、第２の帯状導電体において、複数に分割された導電体と接地端子とがそれぞれ互いに接続されることで、第２の帯状導電体部分に形成される付加インダクタンス成分が並列化され、その付加インダクタンス成分が低減される。これにより、より理想的な集中定数型のＬＣフィルタが形成される。
また、この構成においてさらに、第１の帯状導電体における複数に分割された導電体と第２の帯状導電体における複数に分割された導電体とのそれぞれの高さ方向にスリットが形成されていても良い。
これにより、高さ方向にスリットが形成されていることで、第１の帯状導電体の第２の導体部分と第２の帯状導電体部分とにおいて巻き方向に流れる電流が減り、第１の帯状導電体の第２の導体部分と第２の帯状導電体部分とに形成される付加インダクタンス成分がより効果的に低減される。これにより、より理想的な集中定数型のＬＣフィルタが形成される。
【００１４】
また、本発明によるＬＣ複合素子において、第１の帯状導電体の第２の導体部分における高さ方向の一方の端部を全体的に接続する環状の第１の接続用導体と、第２の帯状導電体における高さ方向の他方の端部を全体的に接続する環状の第２の接続用導体とをさらに備えていても良い。
この構成の場合には、第１の帯状導電体の第２の導体部分における高さ方向の一方の端部が環状の第１の接続用導体に全体的に接続されることで、第１の帯状導電体の第２の導体部分に形成される付加インダクタンス成分がショートされ、その付加インダクタンス成分が低減される。同様にして、第２の帯状導電体における高さ方向の他方の端部が環状の第２の接続用導体に全体的に接続されることで、第２の帯状導電体に形成される付加インダクタンス成分がショートされ、その付加インダクタンス成分が低減される。これにより、より理想的な集中定数型のＬＣフィルタが形成される。
また、この構成においてさらに、第１の帯状導電体の第２の導体部分と第２の帯状導電体とのそれぞれの高さ方向にスリットが形成されていても良い。
これにより、高さ方向にスリットが形成されていることで、第１の帯状導電体の第２の導体部分と第２の帯状導電体部分とにおいて巻き方向に流れる電流が減り、第１の帯状導電体の第２の導体部分と第２の帯状導電体部分とに形成される付加インダクタンス成分がより効果的に低減される。これにより、より理想的な集中定数型のＬＣフィルタが形成される。
【発明の効果】
【００１５】
本発明のＬＣ複合素子によれば、帯状誘電体を介して第１の帯状導電体と第２の帯状導電体とを一体的に巻回してインダクタとキャパシタとを形成するようにしたので、インダクタとキャパシタとの実装効率を向上させることができる。また、第１の帯状導電体が、インダクタを形成する第１の導体部分とキャパシタの一方の電極を形成する第２の導体部分とを長手方向の別々の領域に有し、第２の帯状導電体を第１の帯状導電体の第２の導体部分に対応する領域に設けるようにしたので、集中定数型のＬＣフィルタが形成され、分布定数型のフィルタに比べてフィルタとしての特性解析を容易に行うことができる。
【発明を実施するための最良の形態】
【００１６】
以下、本発明の実施の形態について図面を参照して詳細に説明する。
［第１の実施の形態］
【００１７】
まず、本発明の第１の実施の形態に係るＬＣ複合素子について説明する。
図１は、このＬＣ複合素子の巻回し前の状態の構成要素を分解して示している。また図２は、このＬＣ複合素子の巻回し後の状態の断面を簡略化して示している。また図３は、このＬＣ複合素子の等価回路を示している。なお、図２では説明の都合上、内部の層を一部省略して描いている。また、図２では各帯状の層の間に隙間が入った状態で描かれているが、実際には隣接する帯状部分の層は密接して巻回される。
【００１８】
このＬＣ複合素子は、中心部に配置された磁性コア７と、この磁性コア７を中心として一体的に巻回される第１の帯状導電体１、第２の帯状導電体２、第１の帯状誘電体３、および第２の帯状誘電体４とを備えている。第１および第２の帯状導電体１，２は例えば、アルミニウムや銅などの材料で構成された導電フィルムで構成されている。第１および第２の帯状誘電体３，４としては、一般にフィルムコンデンサに使用されているものと同様、ＰＥＴ（ポリエチレンテレフタレート）、ＰＰ（ポリプロピレン）またはＰＳ（ポリスチレン）などの材料で構成された誘電体フィルムを使用することができる。
【００１９】
第１の帯状導電体１は、インダクタＬ１を形成する第１の導体部分１１とキャパシタＣ１の一方の電極を形成する第２の導体部分１２とを有している。第１の導体部分１１と第２の導体部分１２は、図１に示したように第１の帯状導電体１の長手方向（巻回し方向、ＬＣ複合素子全体の円周方向）の別々の領域に形成されている。第２の帯状導電体２はキャパシタＣ１の他方（接地側）の電極を形成するものである。第２の帯状導電体２は、第１の帯状導電体１の全長よりも短い全長を有し、第１の帯状導電体１の第２の導体部分１２に対応する領域にのみ設けられている（巻回したときに第１および第２の帯状誘電体３，４を介して第２の導体部分１２に対向するように設けられている）。
【００２０】
第２の帯状誘電体４は、第２の帯状導電体２に対応する領域に設けられている。第１の帯状誘電体３は、少なくとも第１の帯状導電体１の第２の導体部分１２に対応する領域に設けられている。なお、図１および図２では第１の導体部分１１に対応する領域にも第１の帯状誘電体３が設けられた状態を示している。第１の帯状誘電体３を第１の帯状導電体１の全長に亘って配置した方が製造上は好ましいが、インダクタＬ１の形成用としては必ずしも第１の導体部分１１に第１の帯状誘電体３を形成する必要はない。
【００２１】
このＬＣ複合素子はさらに、第１の帯状導電体１の第１の導体部分１１の一端側（巻始め側）に接続された入力端子５と、第１の導体部分１１の他端側（第２の導体部分１２が形成された側）に接続された出力端子６と、第２の帯状導電体２に接続された接地端子Ｇ１とを備えている。なお、図１および図２では接地端子Ｇ１が、第２の帯状導電体２の巻き終わり側に設けられているが、巻き始め側に他の接地端子Ｇ２を設けたり、長手方向の途中、中間部分にさらに他の接地端子Ｇ３を設けたりしても良い。
【００２２】
以上のように構成されたＬＣ複合素子では、第１および第２の帯状誘電体３，４を介して第１の帯状導電体１と第２の帯状導電体２とを一体的に巻回してインダクタＬ１とキャパシタＣ１とを形成しているため、小型化および実装効率の向上が図られる。このとき、磁性コア７に第１の帯状導電体１の第１の導体部分１１が巻回されることによりインダクタＬ１が形成され、そのインダクタＬ１の外側の領域において第１および第２の帯状誘電体３，４を介して第１の帯状導電体１の第２の導体部分１２と第２の帯状導電体２とが一体的に巻回されることによりキャパシタＣ１が形成される。このように第１の帯状導電体１が、インダクタＬ１を形成する第１の導体部分１１とキャパシタＣ１の一方の電極を形成する第２の導体部分１２とを長手方向の別々の領域に有していることで、第１および第２の帯状誘電体３，４を介して第１および第２の帯状導電体１，２を巻回した状態で、インダクタＬ１とキャパシタＣ１とが、図２に示したように放射方向（径方向）の別々の領域に形成され、等価的に集中定数型のＬＣフィルタが形成される。これにより、分布定数型のフィルタに比べてフィルタとしての特性解析が容易となり、所望の回路特性を満足するための回路パラメータの設定が容易となる。
特に、このＬＣ複合素子を、例えば音響用のデジタルアンプの出力段に設けられるＬＣフィルタとして使用する場合には、その使用周波数帯域が比較的低周波（例えばカットオフ周波数が５０ｋＨｚ程度）であるため、高周波領域での特性を考えずに等価的に集中定数型のＬＣフィルタとして扱うことができる。
＜第１の実施の形態の変形例＞
【００２３】
図４は、本実施の形態の変形例に係るＬＣ複合素子の巻回し前の状態の構成要素を分解して示している。また図５は、この変形例に係るＬＣ複合素子の巻回し後の状態の断面を簡略化して示している。なお、図２と同様、図５では説明の都合上、内部の層を一部省略して描いている。
【００２４】
図１および図２の構成では第２の帯状導電体２が第１の帯状導電体１に対して内側となるようにして巻回されていたが、本変形例では逆に、第２の帯状導電体２が第１の帯状導電体１に対して外側となるようにして巻回されている。本変形例のＬＣ複合素子は。巻回し方が異なるのみで、構成要素自体は図１および図２と同じである。巻回し方を変えることでフィルタとしての特性が異なってくる場合があるので、必要とされるフィルタ特性に応じていずれかの構成を選択すれば良い。
［第２の実施の形態］
【００２５】
次に、本発明の第２の実施の形態に係るＬＣ複合素子について説明する。
まず、図６を参照して、上記第１の実施の形態に係るＬＣ複合素子において線間容量等を考慮した場合の等価回路について説明する。上記第１の実施の形態に係るＬＣ複合素子において、現実的には、第１の帯状導電体１の第１の導体部分１１とその部分における第１の帯状誘電体３とによって、図６に示したようにインダクタＬ１に並列的に線間容量Ｃ１０が形成される。また、第１の帯状導電体１の第２の導体部分１２によってキャパシタＣ１の一端側に直列的に付加インダクタＬ１０が形成され、第２の帯状導電体２によってキャパシタＣ１の他端側（接地側）に直列的に付加インダクタＬ２０が形成される。さらに、インダクタＬ１と付加インダクタＬ１０および付加インダクタＬ２０との間で結合係数Ｍの相互結合が生ずる。これらの要素が、フィルタとしての特性に影響を及ぼしてしまうので、これらの要素を低減することが望ましい。
【００２６】
図７は、本実施の形態に係るＬＣ複合素子の巻回し前の状態の構成要素を分解して示している。また図８は、このＬＣ複合素子の巻回し後の状態の断面を簡略化して示している。なお、上記第１の実施の形態におけるＬＣ複合素子（図４，図５）と同一の構成部分には同一の符号を付し、適宜説明を省略する。このＬＣ複合素子は、上記第１の実施の形態において第１の導体部分１１に対応する領域に設けられていた第１の帯状誘電体３に代えて、低誘電率絶縁体９を備えたものである。低誘電率絶縁体９としては、例えばフッ素樹脂製シート（比誘電率１．８程度）などの絶縁体フィルムを使用することができる。この低誘電率絶縁体９は、第１の導体部分１１において第１の帯状導電体１と共に一体的に巻回される。これにより、第１の導体部分１１に形成される線間容量Ｃ１０が低減される。
【００２７】
このＬＣ複合素子はまた、インダクタＬ１からの磁束の漏洩を防止する帯状磁性体８を備えている。帯状磁性体８は、第１の導体部分１１において第１の帯状導電体１と共に一体的に巻回され、図８に示したように、第１の導体部分１１におけるインダクタＬ１とキャパシタＣ１との境界となる外周部分に設けられる。帯状磁性体８としては、例えばアモルファス合金やナノ結晶軟磁性合金を薄いシート状に加工したものを使用することができる。また、パーマロイ微粉を樹脂に混ぜてシート状に加工したものなどを使用しても良い。この帯状磁性体８が、磁気シールドとして機能し、インダクタＬ１からの磁束の漏洩が防止される。これにより、インダクタＬ１のキャパシタＣ１への磁束の影響が低減され、インダクタＬ１と付加インダクタＬ１０および付加インダクタＬ２０との間の結合係数Ｍを小さくすることができる。
【００２８】
このように本実施の形態に係るＬＣ複合素子によれば、帯状磁性体８と低誘電率絶縁体９とを設けたことで、結合係数Ｍを小さくでき、また線間容量Ｃ１０を低減することができるので、より理想的な集中定数型のＬＣフィルタを形成することができる。
［第３の実施の形態］
【００２９】
次に、本発明の第３の実施の形態に係るＬＣ複合素子について説明する。
図９は、本実施の形態に係るＬＣ複合素子の巻回し前の状態の構成要素を分解して示している。なお、上記第１の実施の形態におけるＬＣ複合素子（図４，図５）と同一の構成部分には同一の符号を付し、適宜説明を省略する。このＬＣ複合素子は、上記第１の実施の形態における第１の帯状導電体１に代えて、幅の小さい導体１３を有する第１の帯状導電体１Ａを備えたものである。第１の帯状導電体１Ａにおける第２の導体部分１２の構造は上記第１の実施の形態と同様である。またこのＬＣ複合素子では、第１の帯状誘電体３が第１の導体部分１１に対応する領域から省かれている。
【００３０】
第１の帯状導電体１Ａにおいて、導体１３は、例えば低誘電率絶縁体９の表面に形成されている。低誘電率絶縁体９は図７における低誘電率絶縁体９と同様のものである。導体１３は、第１の帯状導電体全体の高さ方向の幅よりも小さい導体形状を有し、かつ、その導体形状部分が側面方向から見て図９に示したように斜め方向に形成されている。インダクタＬ１を構成する導体１３の幅を小さくし、かつ斜め方向に形成したことで、第１の導体部分１１に形成される線間容量Ｃ１０が低減され、より理想的な集中定数型のＬＣフィルタを形成することができる。
［第４の実施の形態］
【００３１】
次に、本発明の第４の実施の形態に係るＬＣ複合素子について説明する。
図１０は、本実施の形態に係るＬＣ複合素子の巻回し前の状態の構成要素を分解して示している。また図１１は、このＬＣ複合素子の巻回し後の状態の断面を簡略化して示している。また図１２は、このＬＣ複合素子において線間容量等を考慮した場合の等価回路を示している。なお、上記第１の実施の形態におけるＬＣ複合素子（図４，図５）と同一の構成部分には同一の符号を付し、適宜説明を省略する。
【００３２】
上記第１の実施の形態では入力端子５と出力端子６とを１つずつ備えていたが、本実施の形態に係るＬＣ複合素子はさらに、複数の他の出力端子６−１，６−２，６−３と、複数の他の接地端子Ｇ２，Ｇ３，Ｇ４とを備えている。このＬＣ複合素子はさらに、出力端子６と複数の他の出力端子６−１，６−２，６−３とを互いに接続する出力端子接続用導体２１と、接地端子Ｇ１と複数の他の接地端子Ｇ２，Ｇ３，Ｇ４とを互いに接続する接地端子接続用導体２２とを備えている。またこのＬＣ複合素子では、第１の帯状誘電体３が第１の導体部分１１に対応する領域から省かれている。
【００３３】
複数の他の出力端子６−１，６−２，６−３は、第１の帯状導電体１の第２の導体部分１２に所定間隔で設けられている。より具体的には、複数の他の出力端子６−１，６−２，６−３は、図１１に示したように、巻回し後の状態において出力端子６と共に同一の放射方向に列状に並ぶような間隔で設けられている。同様に、複数の他の接地端子Ｇ２，Ｇ３，Ｇ４は、巻回し後の状態において接地端子Ｇ１と共に同一の放射方向に列状に並ぶような間隔で第２の帯状導電体２に設けられている。出力端子接続用導体２１は、長方形状に形成され、出力端子６と複数の他の出力端子６−１，６−２，６−３とを図１１に示したように互いに同一の放射方向に接続する。同様に、接地端子接続用導体２２は、長方形状に形成され、接地端子Ｇ１と複数の他の接地端子Ｇ２，Ｇ３，Ｇ４とを互いに同一の放射方向に接続する。
【００３４】
本実施の形態では、第１の帯状導電体１の第２の導体部分１２において、出力端子６と複数の他の出力端子６−１，６−２，６−３とが互いに同一の放射方向に接続されることで、図１２の等価回路に示したように第２の導体部分１２に形成される付加インダクタＬ１０が並列化され、その付加インダクタンスが低減される。同様にして、第２の帯状導電体２において、接地端子Ｇ１と複数の他の接地端子Ｇ２，Ｇ３，Ｇ４とが互いに同一の放射方向に接続されることで、第２の帯状導電体部分２に形成される付加インダクタＬ２０が並列化され、その付加インダクタンスが低減される。これにより、より理想的な集中定数型のＬＣフィルタを形成することができる。
［第５の実施の形態］
【００３５】
次に、本発明の第５の実施の形態に係るＬＣ複合素子について説明する。
図１３は、本実施の形態に係るＬＣ複合素子の巻回し前の状態の構成要素を分解して示している。また図１４は、このＬＣ複合素子の巻回し後の状態の断面を簡略化して示している。なお、上記第１の実施の形態におけるＬＣ複合素子（図４，図５）と同一の構成部分には同一の符号を付し、適宜説明を省略する。
【００３６】
このＬＣ複合素子は、上記第１の実施の形態における第１の帯状導電体１および第２の帯状導電体２に代えて、第１の帯状導電体１Ｂおよび第２の帯状導電体２Ｂを備えたものである。またこのＬＣ複合素子では、第１の帯状誘電体３が第１の導体部分１１に対応する領域から省かれている。
【００３７】
第１の帯状導電体１Ｂは、第２の導体部分１２に対応する領域の導電体が長手方向に分割されることにより形成された複数の分割電極４１を有している。第２の帯状導電体２Ｂも同様に、導電体が長手方向に分割されることにより形成された複数の分割電極４３を有している。第１の帯状導電体１Ｂにおける複数の分割電極４１は、例えば図７における低誘電率絶縁体９と同様の低誘電率絶縁体４２の表面にパターン形成されている。第２の帯状導電体１Ｂにおける複数の分割電極４３も同様に、低誘電率絶縁体４４の表面にパターン形成されている。複数の分割電極４１は、第１の帯状導電体１Ｂにおいて、高さ方向の一方の側（例えば上端側）については端部までパターン形成され、他方の側（例えば下端側）については電極が抜かれたパターン形状となっている。複数の分割電極４３は逆に、第２の帯状導電体２Ｂにおいて、高さ方向の他方の側については端部までパターン形成され、一方の側については電極が抜かれたパターン形状となっている。
【００３８】
このＬＣ複合素子はさらに、第１の帯状導電体１Ｂにおける複数の分割電極４１同士を接続するための複数の出力端子接続用導体３１と、第２の帯状導電体２Ｂにおける複数の分割電極４３同士を接続するための複数の接地端子接続用導体３２とを備えている。このＬＣ複合素子はさらに、複数の出力端子接続用導体３１同士を接続するための出力端子用環状接続導体３３と、複数の接地端子接続用導体３２同士を接続するための接地端子用環状接続導体３４とを備えている。出力端子用環状接続導体３３は、例えば半田付けされるなどして第１の帯状導電体１Ｂにおける第１の導体部分１１の端部（キャパシタＣ１側の端部）に接続される。出力端子用環状接続導体３３と接地端子用環状接続導体３４は、完全に閉じた形状であると、それ自体が不要なインダクタンス成分になってしまうので、一部に切り欠きが形成されていることが好ましい。また、複数の出力端子接続用導体３１は図１３に示したようにそれぞれが中央部で交差するようにして互いに接続されていても良い。複数の接地端子接続用導体３２も同様に、中央部で交差するようにして互いに接続されていても良い。
【００３９】
本実施の形態においては、出力端子接続用導体３１および出力端子用環状接続導体３３が全体として出力端子６の機能を有している。また、接地端子接続用導体３２および出力接地端子用環状接続導体３４が全体として接地端子Ｇ１の機能を有している。また、このＬＣ複合素子では、第１の帯状導電体１Ｂにおける複数の分割電極４１のそれぞれが出力端子用の電極となる。また、第２の帯状導電体２Ｂにおける複数の分割電極４３のそれぞれが接地端子用の電極となる。
【００４０】
このＬＣ複合素子では、第１の帯状導電体１Ｂの第２の導体部分１２の例えば上端側において、複数の出力端子接続用導体３１と出力端子用環状接続導体３３とにより、複数の分割電極４１同士が並列的に接続される。同様にして、第２の帯状導電体２Ｂの例えば下端側において、複数の接地端子接続用導体３２と接地端子用環状接続導体３４とにより、複数の分割電極４３同士が並列的に接続される。これにより、その等価回路は上記第４の実施の形態と同様、図１２に示したようになり、第２の導体部分１２に形成される付加インダクタＬ１０が並列化され、その付加インダクタンスが低減されると共に、第２の帯状導電体部分２Ｂに形成される付加インダクタＬ２０が並列化され、その付加インダクタンスが低減される。これにより、より理想的な集中定数型のＬＣフィルタを形成することができる。
【００４１】
ここで、分割電極４１の分割幅（電極幅）Ｗ１と、出力端子接続用導体３１を設ける数との関係について考察する。第１の帯状導電体１Ｂを巻回した状態で、例えば図１４に示した分割線１４１，１４２の位置で、周回方向に１／４分割するものとする。すなわち、周回方向に４等分するものとする。分割電極４１の電極幅Ｗ１は、外周に行くに連れて大きくなる。この場合、周回方向の分割数＋１以上（４等分したなら５つ以上）の出力端子接続用導体３１を設けてやり、それら出力端子接続用導体３１同士を出力端子用環状接続導体３３により接続すれば、複数の分割電極４１をすべて並列接続することができる。第２の帯状導電体２Ｂにおける分割電極４３と接地端子接続用導体３２を設ける数との関係についても同様である。従って、巻回した状態で周回方向に等分割されるように導体を分割し、その分割数＋１以上の出力端子接続用導体３１および接地端子接続用導体３２を設ければ良い。なお、図１３では、図面の簡略化のため、巻回し前の状態で導体が長手方向に等分割されているように描かれているが、実際には巻き終わり側に近づくに連れ、長手方向に幅Ｗ１が大きくなる。この場合において、長手方向に幅Ｗ１を連続的に変化させるように分割しても良いし、長手方向に段階的に大きくなるように分割しても良い。つまり、ある巻数の範囲では一定の幅であり、巻数がその範囲を超えると次の大きさの幅に広がるというように段階的に幅Ｗ１が大きくなるように分割しても良い。特に連続的に変化させることが製造上困難な場合には、段階的に大きくなるように分割した方が製造上は好ましい。
［第６の実施の形態］
【００４２】
次に、本発明の第６の実施の形態に係るＬＣ複合素子について説明する。
本実施の形態に係るＬＣ複合素子は、図１５に示したように、上記第５の実施の形態に係るＬＣ複合素子（図１３）における分割電極４１，４２に代えて、それぞれの高さ方向にスリット５２が形成された分割電極５１，５３を備えたものである。高さ方向にスリット５２が形成されていることで、第１の帯状導電体１Ｂの第２の導体部分１２と第２の帯状導電体２Ｂとにおいて、巻き方向に流れる電流成分が減り、付加インダクタＬ１０，Ｌ２０がより効果的に低減される。また、結合係数Ｍを小さくすることができる。これにより、より理想的な集中定数型のＬＣフィルタを形成することができる。
［第７の実施の形態］
【００４３】
次に、本発明の第７の実施の形態に係るＬＣ複合素子について説明する。
図１６は、本実施の形態に係るＬＣ複合素子の巻回し前の状態の構成要素を分解して示している。また図１８は、このＬＣ複合素子において線間容量等を考慮した場合の等価回路を示している。なお、上記第１の実施の形態におけるＬＣ複合素子（図４，図５）と同一の構成部分には同一の符号を付し、適宜説明を省略する。
【００４４】
このＬＣ複合素子は、上記第１の実施の形態におけるＬＣ複合素子に対して、第１の帯状導電体１Ｃの第２の導体部分１２における高さ方向の一方の端部（例えば下端部）を全体的に接続する環状の第１の接続用導体６１と、第２の帯状導電体２Ｃにおける高さ方向の他方の端部（例えば上端部）を全体的に接続する環状の第２の接続用導体６２とをさらに備えたものである。またこのＬＣ複合素子では、第１の帯状誘電体３が第１の導体部分１１に対応する領域から省かれている。
【００４５】
このＬＣ複合素子は、図１７に示したように、第１の接続用導体６１には第１の帯状導電体１Ｃにおける第２の導体部分１２の一方の端部のみが接続され、第２の接続用導体６２には第２の帯状導電体２Ｃの他方の端部のみが接続されるように、第１の帯状導電体１Ｃと第２の帯状導電体２Ｃとが高さ方向に位置がずれた状態で巻回されている。なお、第１の接続用導体６１と第２の接続用導体６２は、完全に閉じた形状であると、それ自体が不要なインダクタンス成分になってしまうので、図１６に示したように一部に切り欠きが形成されていることが好ましい。
【００４６】
このＬＣ複合素子では、第１の帯状導電体１Ｃの第２の導体部分１２における高さ方向の一方の端部が環状の第１の接続用導体６１に全体的に接続されることで、図１８の等価回路に示したように、第２の導体部分１２に形成される付加インダクタＬ１０がショートされ、その付加インダクタンス成分が低減される。同様にして、第２の帯状導電体２Ｃにおける高さ方向の他方の端部が環状の第２の接続用導体６２に全体的に接続されることで、第２の帯状導電体２Ｃに形成される付加インダクタＬ２０がショートされ、その付加インダクタンス成分が低減される。これにより、より理想的な集中定数型のＬＣフィルタを形成することができる。
［第８の実施の形態］
【００４７】
次に、本発明の第８の実施の形態に係るＬＣ複合素子について説明する。
本実施の形態に係るＬＣ複合素子は、図１９に示したように、上記第７の実施の形態に係るＬＣ複合素子（図１６）における第１の帯状導電体１Ｃおよび第２の帯状導電体２Ｃに代えて、第２の導体部分１２におけるそれぞれの高さ方向にスリット６３が形成された第１の帯状導電体１Ｄおよび第２の帯状導電体２Ｄを備えたものである。高さ方向にスリット６３が形成されていることで、第１の帯状導電体１Ｄの第２の導体部分１２と第２の帯状導電体２Ｄとにおいて、巻き方向に流れる電流成分が減り、付加インダクタＬ１０，Ｌ２０がより効果的に低減される。また、結合係数Ｍを小さくすることができる。これにより、より理想的な集中定数型のＬＣフィルタを形成することができる。
［第９の実施の形態］
【００４８】
次に、本発明の第９の実施の形態に係るＬＣ複合素子について説明する。
図２０は、本実施の形態に係るＬＣ複合素子の巻回し前の状態の構成要素を分解して示している。本実施の形態に係るＬＣ複合素子は、上記第４の実施の形態に係るＬＣ複合素子（図１０）に対して、第２の導体部分１２に対応する領域の導電体が高さ方向に複数に分割された第１の帯状導電体１Ｅおよび第２の帯状導電体２Ｅを備えたものである。
【００４９】
第１の帯状導電体１Ｅは、各出力端子６，６−１，６−２，６−３の間の導電体が高さ方向（上下方向）に分割されることにより形成された複数の分割電極７１Ａ，７１Ｂを有している。一方の分割電極７１Ａと他方の分割電極７１Ｂは、隣接する各出力端子に交互に接続されている。分割電極７１Ａ，７１Ｂは、例えば図７における低誘電率絶縁体９と同様の低誘電率絶縁体７２の表面にパターン形成されている。第２の帯状導電体２Ｅも同様に、各接地端子Ｇ１，Ｇ２，Ｇ３，Ｇ４の間の導電体が高さ方向（上下方向）に分割されることにより形成された複数の分割電極７３Ａ，７３Ｂを有している。一方の分割電極７３Ａと他方の分割電極７３Ｂは、隣接する各接地端子に交互に接続されている。分割電極７３Ａ，７３Ｂは、例えば図７における低誘電率絶縁体９と同様の低誘電率絶縁体７４の表面にパターン形成されている。
【００５０】
このＬＣ複合素子では、高さ方向に隣接する導電体７１Ａ，７１Ｂに互いに逆向きの電流ｉ１，ｉ２が流れて打ち消し合う。同様に分割電極７３Ａ，７３Ｂに互いに逆向きの電流ｉ１，ｉ２が流れて打ち消し合う。これにより、第１の帯状導電体１Ｅの第２の導体部分１２と第２の帯状導電体２Ｅとに形成される付加インダクタＬ１０，Ｌ２０の付加インダクタンス成分がより効果的に低減され、より理想的な集中定数型のＬＣフィルタを形成することができる。
【００５１】
なお、本発明は、上記各実施の形態に限定されず種々の変形実施が可能である。例えば、上記各実施の形態では中心部に磁性コア７を配置した構成について説明したが、これに代えて非磁性巻枠を配置した構成であっても良い。また、中心部に何も配置しない空心の構成であっても良い。また、本発明のＬＣ複合素子は、断面形状が円形である場合に限らず、偏平状（楕円等）に形成されていても良い。また、上記各実施の形態では、巻始めをインダクタ部からにしてインダクタ部を内側にコンデンサ部を外側に形成するようにしたが、これとは逆に、巻始めをコンデンサ部からにしてコンデンサ部を内側にインダクタ部を外側に形成するようにしても良い。すなわち、第１の帯状導電体１の第２の導体部分１２を巻始めにしても良い。この場合、中心には空心または非磁性巻枠が配置される。
【図面の簡単な説明】
【００５２】
【図１】本発明の第１の実施の形態に係るＬＣ複合素子の一構成例を示す分解斜視図である。
【図２】本発明の第１の実施の形態に係るＬＣ複合素子の一構成例を示す断面図である。
【図３】本発明の第１の実施の形態に係るＬＣ複合素子の等価回路図である。
【図４】本発明の第１の実施の形態に係るＬＣ複合素子の変形例を示す分解斜視図である。
【図５】本発明の第１の実施の形態に係るＬＣ複合素子の変形例を示す断面図である。
【図６】本発明の第１の実施の形態に係るＬＣ複合素子において線間容量等を考慮した場合の等価回路図である。
【図７】本発明の第２の実施の形態に係るＬＣ複合素子の一構成例を示す分解斜視図である。
【図８】本発明の第２の実施の形態に係るＬＣ複合素子の一構成例を示す断面図である。
【図９】本発明の第３の実施の形態に係るＬＣ複合素子の一構成例を示す分解斜視図である。
【図１０】本発明の第４の実施の形態に係るＬＣ複合素子の一構成例を示す分解斜視図である。
【図１１】本発明の第４の実施の形態に係るＬＣ複合素子の一構成例を示す断面図である。
【図１２】本発明の第４の実施の形態に係るＬＣ複合素子において線間容量等を考慮した場合の等価回路図である。
【図１３】本発明の第５の実施の形態に係るＬＣ複合素子の一構成例を示す分解斜視図である。
【図１４】本発明の第５の実施の形態に係るＬＣ複合素子の一構成例を示す断面図である。
【図１５】本発明の第６の実施の形態に係るＬＣ複合素子の一構成例を示す分解斜視図である。
【図１６】本発明の第７の実施の形態に係るＬＣ複合素子の一構成例を示す分解斜視図である。
【図１７】本発明の第７の実施の形態に係るＬＣ複合素子における電極幅について示す説明図である。
【図１８】本発明の第７の実施の形態に係るＬＣ複合素子の等価回路図である。
【図１９】本発明の第８の実施の形態に係るＬＣ複合素子の一構成例を示す分解斜視図である。
【図２０】本発明の第９の実施の形態に係るＬＣ複合素子の一構成例を示す分解斜視図である。
【図２１】従来のノイズフィルタの一例を示す構成図である。
【図２２】図２１に示したノイズフィルタの等価回路図である。
【符号の説明】
【００５３】
Ｃ１…キャパシタ、Ｃ１０…線間容量、Ｌ１…インダクタ、Ｌ１０，Ｌ２０…付加インダクタンス、Ｍ…結合係数、Ｇ１，Ｇ２，Ｇ３…接地端子、１…第１の帯状導電体、２…第２の帯状導電体、３…第１の帯状誘電体、４…第２の帯状誘電体、５…入力端子、６…出力端子、７…磁性コア、８…帯状磁性体、９…低誘電率絶縁体、１０…、１１…第１の導体部分、１２…第２の導体部分。
【図１】
2007067800.tif 000003
【図２】
2007067800.tif 000004
【図３】
2007067800.tif 000005
【図４】
2007067800.tif 000006
【図５】
2007067800.tif 000007
【図６】
2007067800.tif 000008
【図７】
2007067800.tif 000009
【図８】
2007067800.tif 000010
【図９】
2007067800.tif 000011
【図１０】
2007067800.tif 000012
【図１１】
2007067800.tif 000013
【図１２】
2007067800.tif 000014
【図１３】
2007067800.tif 000015
【図１４】
2007067800.tif 000016
【図１５】
2007067800.tif 000017
【図１６】
2007067800.tif 000018
【図１７】
2007067800.tif 000019
【図１８】
2007067800.tif 000020
【図１９】
2007067800.tif 000021
【図２０】
2007067800.tif 000022
【図２１】
2007067800.tif 000023
【図２２】
2007067800.tif 000024